(57)【特許請求の範囲】
【請求項１】
ファクシミリゲートウェイとＰＳＴＮ接続し、前記ファクシミリゲートウェイにＩＴＵ−Ｔ勧告Ｔ.３８準拠のリアルタイムインターネットファクシミリ中継を行なわせるファクシミリ通信装置において、
実行すべきファクシミリ通信が重要通信であるか否かに応じて生成される重要通信指定に関する情報をファクシミリゲートウェイに送信し、重要通信指定が行なわれた場合はファクシミリゲートウェイ間でＴＣＰ／ＩＰコネクションを用いてファクシミリ通信を中継させ、重要通信指定が行なわれなかった場合はファクシミリゲートウェイ間でＵＤＰ／ＩＰコネクションを用いてファクシミリ通信を中継させるよう制御する制御手段を有することを特徴とするファクシミリ通信装置。
【請求項２】
ＩＴＵ−Ｔ勧告Ｔ.３８準拠のリアルタイムインターネットファクシミリプロトコルによりファクシミリ通信の中継を行なうファクシミリゲートウェイとして機能するファクシミリ通信装置において、
発呼側クライアントファクシミリ装置から送信される重要通信指定に関する情報に応じて、重要通信指定が行なわれた場合はＴＣＰ／ＩＰコネクションを用いてファクシミリ通信を中継し、重要通信指定が行なわれなかった場合はＵＤＰ／ＩＰコネクションを用いてファクシミリ通信を中継するよう制御する制御手段を有することを特徴とするファクシミリ通信装置。
【請求項３】
ユーザによりＩＴＵ−Ｔ勧告Ｔ.３０準拠の親展通信が指定された場合、前記重要通信の場合と同様に制御を行なうことを特徴とする請求項１または２に記載のファクシミリ通信装置。
【請求項４】
ファクシミリゲートウェイとＰＳＴＮ接続し、前記ファクシミリゲートウェイにＩＴＵ−Ｔ勧告Ｔ.３８準拠のリアルタイムインターネットファクシミリ中継を行なわせるファクシミリ通信装置の制御方法において、
実行すべきファクシミリ通信が重要通信であるか否かに応じて生成される重要通信指定に関する情報をファクシミリゲートウェイに送信し、重要通信指定が行なわれた場合はファクシミリゲートウェイ間でＴＣＰ／ＩＰコネクションを用いてファクシミリ通信を中継させ、重要通信指定が行なわれなかった場合はファクシミリゲートウェイ間でＵＤＰ／ＩＰコネクションを用いてファクシミリ通信を中継させるよう制御する制御ステップを含むことを特徴とするファクシミリ通信装置の制御方法。
【請求項５】
ＩＴＵ−Ｔ勧告Ｔ.３８準拠のリアルタイムインターネットファクシミリプロトコルによりファクシミリ通信の中継を行なうファクシミリゲートウェイとして機能するファクシミリ通信装置の制御方法において、
発呼側クライアントファクシミリ装置から送信される重要通信指定に関する情報に応じて、重要通信指定が行なわれた場合はＴＣＰ／ＩＰコネクションを用いてファクシミリ通信を中継し、重要通信指定が行なわれなかった場合はＵＤＰ／ＩＰコネクションを用いてファクシミリ通信を中継するよう制御する制御ステップを含むことを特徴とするファクシミリ通信装置の制御方法。
【請求項６】
ユーザによりＩＴＵ−Ｔ勧告Ｔ.３０準拠の親展通信が指定された場合、前記重要通信の場合と同様に制御を行なうことを特徴とする請求項４または５に記載のファクシミリ通信装置の制御方法。
【請求項７】
ファクシミリゲートウェイとＰＳＴＮ接続し、前記ファクシミリゲートウェイにＩＴＵ−Ｔ勧告Ｔ.３８準拠のリアルタイムインターネットファクシミリ中継を行なわせるファクシミリ通信装置の制御プログラムにおいて、
実行すべきファクシミリ通信が重要通信であるか否かに応じて生成される重要通信指定に関する情報をファクシミリゲートウェイに送信し、重要通信指定が行なわれた場合はファクシミリゲートウェイ間でＴＣＰ／ＩＰコネクションを用いてファクシミリ通信を中継させ、重要通信指定が行なわれなかった場合はファクシミリゲートウェイ間でＵＤＰ／ＩＰコネクションを用いてファクシミリ通信を中継させるよう制御する制御ステップを含むことを特徴とするファクシミリ通信装置の制御プログラム。
【請求項８】
ＩＴＵ−Ｔ勧告Ｔ.３８準拠のリアルタイムインターネットファクシミリプロトコルによりファクシミリ通信の中継を行なうファクシミリゲートウェイとして機能するファクシミリ通信装置の制御プログラムにおいて、
発呼側クライアントファクシミリ装置から送信される重要通信指定に関する情報に応じて、重要通信指定が行なわれた場合はＴＣＰ／ＩＰコネクションを用いてファクシミリ通信を中継し、重要通信指定が行なわれなかった場合はＵＤＰ／ＩＰコネクションを用いてファクシミリ通信を中継するよう制御する制御ステップを含むことを特徴とするファクシミリ通信装置の制御プログラム。
【請求項９】
ユーザによりＩＴＵ−Ｔ勧告Ｔ.３０準拠の親展通信が指定された場合、前記重要通信の場合と同様に制御を行なうことを特徴とする請求項７または８に記載のファクシミリ通信装置の制御プログラム。
【発明の詳細な説明】
【０００１】
【発明の属する技術分野】
本発明は、ＩＴＵ−Ｔ勧告Ｔ.３８準拠のリアルタイムインターネットファクシミリ通信に係るファクシミリ通信装置、ファクシミリ通信装置の制御方法、およびファクシミリ通信装置の制御プログラムに関するものである。
【０００２】
【従来の技術】
近年のインターネットの普及には目覚ましいものがあり、ファクシミリ装置でも種々の方法でネットワーク通信技術を応用する技術が提案されている。
【０００３】
その１つとして、ＩＴＵ−Ｔ勧告Ｔ.３８に記載されたいわゆるリアルタイムインターネットファクシミリ通信がある。同勧告に記載されている通信は、図１に示すようにＩＰネットワーク（インターネットあるいはイントラネット）１０６に接続されたファクシミリゲートウェイ（Ａ、Ｂ）１０４、１０８を介してファクシミリ装置（Ａ、Ｂ）１００と１１２を通信させるものである。
【０００４】
ファクシミリ装置（Ａ、Ｂ）１００、１１２は、ＰＳＴＮ（一般公衆回線）１０２、１１０を介してファクシミリゲートウェイ（Ａ、Ｂ）１０４、１０８と接続される。ファクシミリ装置（Ａ）１００が発呼側であれば、ファクシミリ装置１００はＰＳＴＮ１０２経由でゲートウェイ１０４を発呼する。
【０００５】
そして、ゲートウェイ（エミッティングゲートウェイ）１０４とゲートウェイ（レシービングゲートウェイ）１０８との間でＴＣＰ（またはＵＤＰ）／ＩＰコネクションを形成する。ゲートウェイ１０８は、何らかの方法でファクシミリ装置１００〜ゲートウェイ１０４から通知された電話番号情報に基づきＰＳＴＮ１１０を介してファクシミリ装置（Ｂ）１１２を発呼し、呼を成立させる。以後、Ｇ３ファクシミリ信号をＩＦＰ（インターネットファクシミリプロトコル）にしたがいＴＣＰ（またはＵＤＰ）パケット中にカプセル化して交換する。
【０００６】
なお、現状の勧告Ｔ．３８では、（エミッティング）ゲートウェイ１０４にファクシミリ装置１１２の電話番号を通知するにはダブルダイアリングを行なう方法が記載されているにすぎず（勧告Ｔ．３８付録Ｂ．２．１）、また、（レシービング）ゲートウェイ１０８にファクシミリ装置１１２の電話番号を通知する技術仕様の細部は勧告化されていない（勧告Ｔ．３８付録Ｂ．２．２）。
【０００７】
図２および図３は、ＩＴＵ−Ｔ勧告Ｔ．３８によるインターネットファクシミリ通信の様子を示している。
【０００８】
図２、図３の符号２０１は画像を送信する送信側ファクシミリ装置（ここでは発呼側）、２０４は受信側ファクシミリ装置で、図１のファクシミリ装置１００および１１２のいずれかに相当する。
【０００９】
また、符号２０２’はエミッティングゲートウェイ（送信側ゲートウェイ）、２０３はレシービングゲートウェイ（受信側ゲートウェイ）で、図１のゲートウェイ１０４および１０８のいずれかにそれぞれ相当する。これらのゲートウェイ装置はネットワークインターフェースおよびＰＳＴＮインターフェースを有する専用ファクシミリ装置として、あるいは同様の通信インターフェースを有するコンピュータシステムから構成することができる。
【００１０】
送信側ファクシミリ装置２０１とエミッティングゲートウェイ２０２’、および受信側ファクシミリ装置２０４とレシービングゲートウェイ２０３の間で送受信されるファクシミリプロトコル信号は、図示のように通常のＧ３ファクシミリプロトコルのものと全く同様であり、これらの信号は図２、図３の中央部に示されるようにＩＦＰにしたがい、いわゆるＴ．３８パケットに変換され、ＴＣＰ（あるいはＵＤＰ）パケット中にカプセル化して交換される。
【００１１】
Ｔ．３８パケットは、ＴＹＰＥおよびＤＡＴＡの要素から構成される。ＤＡＴＡの部分は実際の信号の内容であるが、ＴＹＰＥにはＴ３０ＩＮＤ（Ｔ３０インジケータ）、信号の変調方式を示すＴ３０＿ＤＡＴＡ  ＴＹＰＥ、ＤＡＴＡとして送信される信号がＨＤＬＣフォーマットであることを示すためのＨＤＬＣ＿ＸＸＸなどがある（Ｔ．３８勧告７．２）。
【００１２】
このようにして、ＰＳＴＮインターフェースのみを有するファクシミリ装置であっても、これらをインターネットなどのＩＰ網を介して通信させることができ、従来必要であった国際通話料金などのコスト削減を期待でき、その場合、ファクシミリ装置１００、１１２としては旧来のＧ３ファクシミリ装置などをそのまま流用できる。また、通信事業者には、このようなゲートウェイを用いたビジネスのチャンスを提供できる可能性がある。
【００１３】
なお、ＩＴＵ−Ｔ勧告Ｔ．３８には、ゲートウェイだけではなく、ＩＦＰパケットを直接送受信できるインターネットファクシミリ装置（ＩＡＦ：Ｉｎｔｅｒｎｅｔ  Ａｗａｒｅ  Ｆａｘ  ｄｅｖｉｃｅ）１１２ａ（図１）も記載されている。このインターネットファクシミリ装置１１２ａは、直接、図２および図３に示したＩＦＰパケットを送受信し、ファクシミリ通信を行なう。
【００１４】
インターネットファクシミリ装置（ＩＡＦ）１１２ａは、上記のクライアントファクシミリとゲートウェイを一体化した構成として考えることができ、画像入出力部を有するＰＳＴＮ接続のファクシミリ装置の回線インターフェースをＩＰネットワークインターフェースに置き換えた構成を有する。
【００１５】
【発明が解決しようとする課題】
ＩＴＵ−Ｔ勧告Ｔ．３８では、ＴＣＰ／ＩＰコネクションまたはＵＤＰ／ＩＰコネクションのいずれによってもファクシミリ通信の中継を行なえるようになっている。ＴＣＰおよびＵＤＰはＩＰプロトコル上で実行されるプロトコルスタックで相互によく似たものであるが、大きな違いはＴＣＰで行なわれるハンドシェイク（到達確認）がＵＤＰでは行なわれないことである。この点において、ＵＤＰはＴＣＰよりもオーバヘッドが小さいが、通信の確実性はＵＤＰよりもＴＣＰの方が高い、という特徴がある。
【００１６】
本発明の課題は、ＩＴＵ−Ｔ勧告Ｔ.３８準拠のリアルタイムインターネットファクシミリプロトコルにより通信するファクシミリ通信装置、特に、インターネットファクシミリ通信のクライアントファクシミリ装置、およびファクシミリゲートウェイ（エミッティングゲートウェイ）において、インターネット通信の部分をＴＣＰ／ＩＰまたはＵＤＰ／ＩＰのいずれにより行なうかを適切に制御できるようにすることにある。
【００１７】
【課題を解決するための手段】
上記の課題を解決するため、本発明によれば、ファクシミリ通信装置、ファクシミリ通信装置の制御方法、およびファクシミリ通信装置の制御プログラムにおいて、以下のような構成を採用した。
【００１８】
ファクシミリゲートウェイとＰＳＴＮ接続し、前記ファクシミリゲートウェイにＩＴＵ−Ｔ勧告Ｔ.３８準拠のリアルタイムインターネットファクシミリ中継を行なわせるファクシミリ通信装置、その制御方法、およびその制御プログラムにおいて、実行すべきファクシミリ通信が重要通信であるか否かに応じて生成される重要通信指定に関する情報をファクシミリゲートウェイに送信し、重要通信指定が行なわれた場合はファクシミリゲートウェイ間でＴＣＰ／ＩＰコネクションを用いてファクシミリ通信を中継させ、重要通信指定が行なわれなかった場合はファクシミリゲートウェイ間でＵＤＰ／ＩＰコネクションを用いてファクシミリ通信を中継させるよう制御する構成。
【００１９】
ＩＴＵ−Ｔ勧告Ｔ.３８準拠のリアルタイムインターネットファクシミリプロトコルによりファクシミリ通信の中継を行なうファクシミリゲートウェイとして機能するファクシミリ通信装置、その制御方法、およびその制御プログラムにおいて、発呼側クライアントファクシミリ装置から送信される重要通信指定に関する情報に応じて、重要通信指定が行なわれた場合はＴＣＰ／ＩＰコネクションを用いてファクシミリ通信を中継し、重要通信指定が行なわれなかった場合はＵＤＰ／ＩＰコネクションを用いてファクシミリ通信を中継するよう制御する構成。
【００２２】
あるいはさらに、ユーザによりＩＴＵ−Ｔ勧告Ｔ.３０準拠の親展通信が指定された場合、前記重要通信の場合と同様に制御を行なう構成。
【００２３】
【発明の実施の形態】
以下、図を参照して本発明の実施の形態を説明する。
【００２４】
図４は本発明を採用したファクシミリ装置の構成を示している。図４の装置は、図１のファクシミリ装置１００、あるいは１１２に相当するものである。図４において符号２は、ＮＣＵ（網制御装置）で、電話網をデータ通信等に使用するためにその回線の端末に接続し、電話交換網の接続制御を行なったり、データ通信路への切り替えを行なったり、ループの保持を行ったりするものである。ＮＣＵ２は、バス２６からの制御に応じて電話回線２ａを電話機４側に接続する（ＣＭＬオフ）か、電話回線２ａをファクシミリ装置側に接続する（ＣＭＬオン）。通常状態では、電話回線２ａは電話機４側に接続されている。
【００２５】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００２６】
符号８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行なう。バス２６の制御により、各伝送モードが指定される。変復調器８は、バス２６からの送信信号を入力し、変調データを信号線８ａに出力し、信号線６ａに出力されている受信信号を入力し、復調データをバス２６に出力する。
【００２７】
符号１０は、発呼回路であり、バス２６からの制御に応じて、電話番号情報を入力し、信号線１０ａにＤＴＭＦ形式の選択信号を出力する。
【００２８】
符号１２は、加算回路であり、信号線８ａの情報と信号線１０ａの情報を入力し、加算した結果を信号線１２ａに出力する。
【００２９】
符号１４は、原稿から画情報を読み取る読取回路であり、光学読取素子および原稿搬送系から構成され、読み取りデータをバス２６に出力する。
【００３０】
符号１６は、画情報を記録する記録回路であり、バス２６に出力されている情報を順次１ライン毎に記録する。記録回路１６は、レーザビームプリンタなどの記録機構により構成される。
【００３１】
符号１８は、メモリ回路であり、ＲＡＭ（あるいはハードディスクドライブなどのような読み書き可能なメモリ）を含み、後述のＣＰＵ２２のワーク領域として用いられる。読み取った、あるいは受信した画像データを生データ、あるいは符号化データの形式で格納する他、他の制御データも格納される。メモリ回路１８へのアクセスはバス２６を介して行なわれる。
【００３２】
符号２０は、操作部であり、ワンタッチダイヤル、短縮ダイヤル、テンキー、＊キー、＃キー、スタートキー、ストップキー、セットキー、両面送信選択キー、その他のファンクションキーがあり、これらのキーの操作情報はバス２６に出力される。操作部２０には、ＬＣＤなどの表示素子から成る表示部が設けられており、装置の動作状態をモニタしたり、各種の設定を行なうユーザーインターフェースに用いられる。操作部２０のアクセスはバス２６を介して行なわれる。
【００３３】
符号２２は、ＣＰＵ（中央処理装置）であり、ファクシミリ全体の動作を制御するとともに、ファクシミリ伝送制御手順を実行するが、その制御プログラムは、ＲＯＭ２４に格納される。符号２６はＣＰＵ２２のバスで、アドレスバス、データバスから構成される。
【００３４】
図５は本発明を採用したファクシミリゲートウェイ装置の構成を示している。図５の装置は、ファクシミリ装置と接続するためのＰＳＴＮインターフェースと、インターネット（ＩＰネットワーク）に接続するためのネットワークインターフェースを有し、ＰＳＴＮインターフェース側のファクシミリ装置とはＧ３ファクシミリ手順により通信し、インターネット（ＩＰネットワーク）を介して相手のファクシミリゲートウェイと通信する装置である。図５の装置は、図１のゲートウェイ１０４または１０８に対応し、エミッティングゲートウェイまたはレシービングゲートウェイとして動作する。
【００３５】
図５において符号２０２は、ＮＣＵ（網制御装置）で、電話網をデータ通信等に使用するためにその回線の端末に接続し、電話交換網の接続制御を行ったり、データ通信路への切り換えを行ったり、ループの保持を行なったりするためのものである。また、ＮＣＵ２０２は、バス２２６からの制御に基づき電話回線２０２ａをオープンに（ＣＭＬオフ）したり、電話回線２０２ａをゲートウェイ装置側に接続（ＣＭＬオン）する制御を行なう。なお、通常状態では電話回線２０２ａは、オープンである。
【００３６】
符号２０６は、ハイブリッド回路であり、送信系の信号と受信系の信号とを分離し、加算回路２１２からの送信信号をＮＣＵ２０２経由で電話回線２０２ａに送出し、相手側からの信号をＮＣＵ２０２経由で受取り、信号線２０６ａ経由で変復調器２０８に送る。
【００３７】
符号２０８は、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を実行可能な変復調器であり、バス２２６から制御することによりこれらの各伝送モードを選択できる。変復調器２０８は、バス２２６からの送信信号を入力し、変調データを信号線２０８ａに出力し、信号線２０６ａに出力されている受信信号を入力し、復調データをバス２２６に出力する。
【００３８】
符号２１０は、発呼回路であり、バス２２６からの信号により、電話番号情報を入力し、信号線２１０ａにＤＴＭＦの選択信号を出力する。符号２１２は、加算回路であり、信号線２０８ａの情報と信号線２１０ａの情報を入力し、加算した結果を信号線２１２ａに出力する。
【００３９】
符号２０２から２１２のブロックは電話回線２０２ａ（ＰＳＴＮ回線１）と接続するための回線インターフェース（１）２３０を構成する。本実施形態では、この他に回線インターフェース（１）２３０と同様に構成された電話回線（ＰＳＴＮ回線２）２１４ａと接続するための回線インターフェース（２）２１４、および電話回線（ＰＳＴＮ回線３）２１６ａと接続するための回線インターフェース（３）２１６が設けられ、これらの回線インターフェースの接続制御はバス２２６を介してＣＰＵ２２２により実行される。
【００４０】
符号２１８は、メモリ回路であり、メモリ（ＲＡＭ）などの記憶素子から構成され、ワーク用領域として、また、読取り画像データの生情報、あるいは、符号化した情報を格納したり、また、受信情報、あるいは、復号化した情報等をバス２２６を介して格納するために使用する。
【００４１】
符号２２０は、ネットワークカードであり、信号線２２０ａを介して、インターネットに接続される。ネットワークのハードウェアアーキテクチャは任意であるが、ネットワークカード２２０はたとえばイーサネット（商標名）インターフェースカードなどから構成される。
【００４２】
符号２２２は、ＣＰＵ（中央処理装置）であり、ファクシミリゲートウェイ全体を制御するとともに、ファクシミリ装置とのファクシミリ伝送制御手順、また、ゲートウェイ間での通信手順などを実行する。ＣＰＵ２２２の制御プログラムはＲＯＭ２２４に格納される。ＣＰＵ２２２はバス２２６を介して上記の各ブロックと接続される。
【００４３】
符号２２４はＲＯＭであり、後述の通信制御を実行するためのＣＰＵ２２２の制御プログラムが格納されている。もちろん、ＲＯＭ２２４には、ＣＰＵ２２２のプログラムとして勧告Ｔ．３８によるインターネットファクシミリ通信、およびＴＣＰ／ＩＰおよびＵＤＰ／ＩＰのためのプロトコルスタックが格納されているものとする。
【００４４】
次に上記構成における動作につき説明する。本発明では、ファクシミリ通信の中継に際して、その通信が「重要通信」であるか否かに応じて、中継をＴＣＰ／ＩＰコネクションまたはＵＤＰ／ＩＰコネクションのいずれにより行なうかを選択できるようにする。
【００４５】
「重要通信」か否かは、本実施形態では、クライアントファクシミリ装置において、ユーザが操作部２０の重要通信ボタン２０ａにより指定するものとし、この指定情報をゲートウェイに通知する。ゲートウェイでは、「重要通信」が指定された場合はＴＣＰ／ＩＰコネクションを、また、「重要通信」が指定されていない場合はＵＤＰ／ＩＰコネクションを相手ゲートウェイとの間に成立させ、これらのコネクションの上でファクシミリ通知を中継する。
【００４６】
図６、および図７は図４のファクシミリ装置（発呼側のクライアントファクシミリ装置）のＣＰＵ２２の制御手順を、図８〜図１０は図５のファクシミリゲートウェイのＣＰＵ２２２の制御手順を示している。各図の丸数字のフローはその位置で相互に連続している。
【００４７】
まず、ファクシミリ装置側の制御を説明する。図６において、ステップＳ０は、所定のリセット操作などにより開始される処理の始めを示している。
【００４８】
ステップＳ２では、バス２６を介してＮＣＵ２のＣＭＬをオフとし、回線２ａを電話機４側に接続する。
【００４９】
ステップＳ４では、バス２６を介してメモリ回路１８をイニシャライズし、ステップＳ６では、バス２６を介して、操作部２０の表示部をイニシャライズ（クリア）する。
【００５０】
ステップＳ８では、バス２６を介してＮＣＵ２のＣＭＬをオフとし、回線２ａを電話機４側に接続する。
【００５１】
ステップＳ１０では、ユーザにより勧告Ｔ．３８によるインターネットファクシミリ通信が選択されたか否かを判定する。通常、このユーザの選択は操作部２０の操作により行なわれる。インターネットファクシミリ通信が選択された場合はステップＳ１４に移行する。インターネットファクシミリ通信が選択されていなければステップＳ１２で他の処理（原稿のコピーなど）を行なった後ステップＳ８に戻る。
【００５２】
インターネットファクシミリ通信が選択されるとステップＳ１４においてバス２６を介してＮＣＵ２のＣＭＬをオンとし、回線２ａをハイブリッド回路６側に接続する。
【００５３】
ステップＳ１６では、あらかじめメモリ１８に登録されているファクシミリゲートウェイの電話番号を発呼回路１０に入力し、このゲートウェイを発呼する。さらに、ステップＳ１８では最終宛先の電話番号をＤＴＭＦ信号によりゲートウェイに通知する。
【００５４】
図７のステップＳ２０では、重要通信を指定されているか否かを判定する。通常、この重要通信の指定は操作部２０の重要通信ボタン２０ａにより行なわれる（操作タイミングは任意である）。重要通信を指定されている場合はステップＳ２２に指定されていない場合はステップＳ２４に移行する。
【００５５】
本実施形態では、重要通信か否かにより、ゲートウェイがファクシミリ通信の中継にＴＣＰ／ＩＰコネクションを用いるかＵＤＰ／ＩＰコネクションを用いるかを決定する。このため、重要通信が選択されている場合はステップＳ２２で重要通信が選択されている旨の情報をＤＴＭＦ信号によりゲートウェイに通知する。重要通信が選択されていない場合はステップＳ２４でその旨の情報をＤＴＭＦ信号によりゲートウェイに通知する。
【００５６】
ステップＳ２６ではファクシミリ通信前手順を実行し、ステップＳ２８で画信号の読み取りおよび送信を行ない、ステップＳ３０でファクシミリ通信後手順を実行した後、ステップＳ８に復帰する。ステップＳ２６、Ｓ２８、Ｓ３０の通信処理は、ゲートウェイにより図２、図３に示したように中継される。このとき、ステップＳ２２またはＳ２４の通知に応じて、ファクシミリ通信の中継にＴＣＰ／ＩＰコネクションを用いるかＵＤＰ／ＩＰコネクションを用いるかを決定する。
【００５７】
次に、図８以降によりファクシミリゲートウェイの制御につき説明する。
【００５８】
図８のステップＳ４０は電源投入やリセットに基いて開始される処理の始めを示している。ステップＳ４２では、回線１、２、３に対応するすべてのＣＭＬ（ＣＭＬ１、２、３)をオフする。ステップＳ４４では、バス２２６を介して、メモリ２１８をイニシャライズする。
【００５９】
ステップＳ４６では、ＰＳＴＮ、つまり回線１、２、３のいずれかから着信があったか否かを判定する。着信がなければステップＳ４８に移行し、ＰＳＴＮから着信があった場合はステップＳ５２へ移行する。なお、ここでは説明を簡単にするために、全ての回線が未使用であるものとし、着信があった場合は回線１のＣＭＬ１をオンにして着信を受け付けるものとする。
【００６０】
ステップＳ４８では、相手ゲートウェイから接続要求があったか否かを判断する。相手ゲートウェイからの接続要求は、ネットワークカード２２０を介してＴＣＰまたはＵＤＰコネクション要求の形で到来する。ステップＳ４８で相手ゲートウェイから接続要求がなければステップＳ５０で他の処理を実行し、ステップＳ４６に復帰する。相手ゲートウェイから接続要求があった場合は図１０のステップＳ６８に移行する。
【００６１】
ＰＳＴＮから着信があった場合、ステップＳ５２において、回線１のＣＭＬ１をオンにして着信を受け付ける。
【００６２】
ステップＳ５４では、最終宛先を発呼するための宛先情報（電話番号など：上記ステップＳ１８で送信される）を受信し、ステップＳ５６では受信した相手局に関する宛先情報を相手ゲートウェイに送信する。この宛先情報の送信は、特定のポート（ソケット）番号を用いて行なうが、その際、ＴＣＰ／ＩＰコネクション、ＵＤＰ／ＩＰコネクションのいずれを用いてもよい。
【００６３】
ステップＳ５８では、勧告Ｔ．３８によるファクシミリ通信中継のためのコネクションを生成する前に重要通信か否かの情報（上記ステップＳ２２ないしＳ２４で送信される）を受信する。
【００６４】
ステップＳ６０では、重要通信が指定されているか否か判定する。ここで重要通信が指定されている場合は図９のステップＳ６２に、要通信が指定されていなければ図９のステップＳ６６に移行する。
【００６５】
重要通信が指定されている場合は、図９のステップＳ６２において、相手ゲートウェイとの間にＴＣＰ／ＩＰコネクションを生成し、その上で勧告Ｔ．３８によるファクシミリ通信中継を行ない、その後ステップＳ６４でＣＭＬ１をオフとし、図８のステップＳ４６に復帰する。
【００６６】
一方、重要通信が指定されていなければ図９のステップＳ６６において、相手ゲートウェイとの間にＵＤＰ／ＩＰコネクションを生成し、その上で勧告Ｔ．３８によるファクシミリ通信中継を行ない、その後ステップＳ６４でＣＭＬ１をオフとし、図８のステップＳ４６に復帰する。
【００６７】
一方、ステップＳ４８で相手ゲートウェイから接続要求があった場合は、図１０の処理を実行する（レシービングゲートウェイの処理）。図１０のステップＳ６８において、最終宛先のクライアントファクシミリ装置の宛先情報（電話番号など：上記ステップＳ５４で送信される）を受信し、ステップＳ７０でＣＭＬ１をオンとし、ステップＳ７２においてステップＳ６８で受信した宛先情報を用いて最終宛先のクライアントファクシミリ装置を発呼する。
【００６８】
ステップＳ７４では、相手ゲートウェイ（エミッティングゲートウェイ）からのコネクションタイプを判定する。先のステップＳ６２により相手ゲートウェイからＴＣＰ／ＩＰコネクション要求があった場合はステップＳ７６に、ＵＤＰ／ＩＰコネクション要求があった場合はステップＳ７８に移行する。
【００６９】
ステップＳ７６では、相手ゲートウェイとの間にＴＣＰ／ＩＰコネクションを生成し、その上で勧告Ｔ．３８によるファクシミリ通信中継を行なう。ステップＳ７８では、ＵＤＰ／ＩＰコネクションを生成し、その上で勧告Ｔ．３８によるファクシミリ通信中継を行なう。ステップＳ８０では、ＣＭＬ１をオフとし、図８のステップＳ４６に復帰する。
【００７０】
以上のようにして、本実施形態によれば、発呼側ファクシミリ装置のユーザは、これから実行するファクシミリ通信が重要通信か否かの判断に応じて重要通信ボタン２０ａにより重要通信か否かを指定することができ、この指定情報をゲートウェイに通知することにより、ゲートウェイ間でＴＣＰ／ＩＰコネクションを用いるかＵＤＰ／ＩＰコネクションを用いるかを選択することができる。さらに、発呼側ファクシミリ装置からの重要通信か否かの指定により、ゲートウェイはファクシミリ通信の中継にＴＣＰ／ＩＰコネクションを用いるかＵＤＰ／ＩＰコネクションを用いるかを適切に選択することができる。
【００７１】
たとえば、ゲートウェイにおいて、重要通信であればＴＣＰ／ＩＰコネクションを用い、重要通信でなければＵＤＰ／ＩＰコネクションを用いるよう制御することにより、重要通信についてはＴＣＰ／ＩＰコネクションにより通信の確実性を重視したファクシミリ通信の中継を行なえ、重要通信でなければよりＵＤＰ／ＩＰコネクションにより通信の速度や効率を重視したファクシミリ通信中継を行なえる。
【００７２】
以上では操作部２０に重要通信ボタン２０ａを設け、この重要通信ボタン２０ａを操作することにより重要通信の指定を行なっている。一方、従来より、ＩＴＵ−Ｔ勧告Ｔ．３０に規定されるパスワード照合を介在させた親展通信が知られているが、この親展通信を上記の「重要通信」として取り扱うことが考えられる。
【００７３】
すなわち、ユーザが親展通信を指定した場合にＴＣＰ／ＩＰコネクションを用い、親展通信が指定されていなければＵＤＰ／ＩＰコネクションを用いるように制御する。
【００７４】
親展通信自体はＩＴＵ−Ｔ勧告Ｔ．３０に規定される公知のファクシミリ通信処理であり、受信側ユーザが所定のパスワードを入力した場合にのみ画像の出力を行なえるように制御が行なわれる。親展通信は操作部２０の所定の操作により指定される。パスワードなどの情報はＤＩＳ／ＤＴＣ／ＤＣＳ信号を用いて送受信されるが、これらの手順信号は、標準の勧告Ｔ．３８の中継処理により中継される。
【００７５】
図１１は、図６および図７のファクシミリ装置の制御手順において、親展通信の指定に応じてＴＣＰ／ＩＰコネクションまたはＵＤＰ／ＩＰコネクションを選択するために必要な変更部分を示している。図１１に不図示の部分は図６および図７と全く同様であるものとする。
【００７６】
図１１のステップＳ９２は図７のステップＳ２０を置換するもので、ここではユーザが親展通信を指定しているか否かを判定している。親展通信が指定されている場合は、先の重要通信の指定があった場合と同様にステップＳ２２に移行する。親展通信が指定されていない場合は、先の重要通信の指定がなかった場合と同様にステップＳ２４に移行する。
【００７７】
ステップＳ２２、ステップＳ２４は図１１では不図示であるが、当然ながらステップＳ２２ではこれから実行する通信が親展通信である旨、ステップＳ２４ではこれから実行する通信が親展通信ではない旨をＤＴＭＦ信号によりゲートウェイ（エミッティングゲートウェイ）に通知する。
【００７８】
これに対応して、ゲートウェイでは、図８のステップＳ５８においては重要通信情報ではなくステップＳ２２またはＳ２４で送信される親展通信に関する情報を受信し、ステップＳ６０においては親展通信が指定されたか否かの判定を行ない、親展通信の場合は図９のステップＳ６２に、親展通信でない場合は図９のステップＳ６６に移行する。
【００７９】
このようにして、親展通信が指定されている場合は前述の重要通信の場合同様に取り扱いＴＣＰ／ＩＰコネクションによりファクシミリ通信を中継し、親展通信が指定されていない場合は前述の重要通信の指定なしの場合同様にＵＤＰ／ＩＰコネクションによりファクシミリ通信を中継することができる。
【００８０】
上記の実施形態では、ファクシミリ装置の構成（図４）として専用機を考えたが、機器のハードウェア形態はこれに限定されるものではなく、たとえばパーソナルコンピュータ、モデム、およびファクシミリ通信ソフトウェアの組合せによりインターネットファクシミリ通信を行なう構成において本発明の通信制御を実施できる。その場合、本発明の通信制御は、ファクシミリ通信ソフトウェアの一部として、あるいはオペレーティングシステムの一部を構成するドライバプログラムやライブラリプログラムなどとして供給することができる。
【００８１】
また、上記の実施形態におけるゲートウェイ装置（図５）はネットワークインターフェースおよびＰＳＴＮインターフェースを有する専用ファクシミリ装置として、あるいは同様の通信インターフェースを有するコンピュータシステムから構成することができる。本実施形態のゲートウェイ装置の制御プログラムはオペレーティングシステムの一部を構成するドライバプログラムやライブラリプログラムなどとしてあらかじめＲＯＭ２２４に格納しておく他、他の任意のコンピュータ読み取り可能な媒体を介してゲートウェイ装置に供給することができる。
【００８２】
さらに、本発明は、クライアントファクシミリとゲートウェイを一体化した構成、つまり、図１のインターネットファクシミリ装置（ＩＡＦ）１１２ａにも実施できる。
【００８３】
インターネットファクシミリ装置１１２ａは、図４のファクシミリ装置の構成のうち、バス２６の左側に図示した符号２〜１０の部材に加え（あるいはこれらを置換すべく）図５のネットワークインターフェース２０を設けたもので、勧告Ｔ．３８のＩＦＰパケットを直接送受信することにより他のインターネットファクシミリ装置あるいはゲートウェイとファクシミリ通信を行なう。このようなインターネットファクシミリ装置に本発明を実施する場合は、前述同様に操作部２０に重要通信ボタン２０ａを設けておく。
【００８４】
そして、重要通信ボタン２０ａにより重要通信が指定された時、あるいは親展通信などが指定されることによりこれから実行するファクシミリ通信が重要通信であることが判明した場合に（上述のエミッティングゲートウェイとの間のＰＳＴＮ接続によるファクシミリ通信を行なうことなく、また当然ながらエミッティングゲートウェイとの重要通信情報の交換を行なうことなく）、図９のステップＳ６２に示したようにレシービングゲートウェイとの間にＴＣＰ／ＩＰコネクションを生成し、そのコネクションを用いてＴ．３８プロトコルによるファクシミリ通信を行ない、また、重要通信ではない場合は図９のステップＳ６６に示したようにレシービングゲートウェイとの間にＵＤＰ／ＩＰコネクションを生成し、そのコネクションを用いてＴ．３８プロトコルによるファクシミリ通信を行なう。
【００８５】
このようにインターネットファクシミリ装置の構成においても、重要通信か否かに応じてＩＰ網の通信をＴＣＰ／ＩＰコネクションによるか、ＵＤＰ／ＩＰコネクションによるかを制御でき、上述と同等の効果を期待できる。もちろん、インターネットファクシミリ装置の場合も、専用機のみならず、ＰＣにインターネットファクシミリ通信を行なうためのソフトウェアを塔載したような構成において同等の技術を実施できるのはいうまでもない。
【００８６】
なお、上述の実施形態において、実行すべきファクシミリ通信が重要通信であるか否かの判定は、重要通信ボタン２０ａの操作情報や、親展通信の指定により行なう構成を考えたが、他の任意の条件により重要通信と非重要通信を区別できるのであれば、その条件により重要通信であるか否かを判定できるのはいうまでもない。
【００８７】
【発明の効果】
以上の説明から明らかなように、本発明によれば、実行すべきファクシミリ通信が重要通信か否かに応じて、重要通信である場合はＩＰ網の通信をＴＣＰ／ＩＰコネクションを用いて、重要通信でない場合はＩＰ網の通信をＵＤＰ／ＩＰコネクションを用いて行なうようにしているので、インターネット通信の部分をＴＣＰ／ＩＰまたはＵＤＰ／ＩＰのいずれにより行なうかを適切に制御でき、重要通信であれば通信の確実性を、重要通信でなければ通信の速度や効率を優先できる、という優れた効果が得られる。
【図面の簡単な説明】
【図１】ＩＴＵ−Ｔ勧告Ｔ.３８に基づいたファクシミリ通信系の構成を示したブロック図である。
【図２】図１の構成における通信の様子を示した説明図である。
【図３】図１の構成における通信の様子を示した説明図である。
【図４】本発明を採用したファクシミリ装置の構成を示したブロック図である。
【図５】本発明を採用したファクシミリゲートウェイの構成を示したブロック図である。
【図６】図４のファクシミリ装置における通信制御手順を示したフローチャート図である。
【図７】図４のファクシミリ装置における通信制御手順を示したフローチャート図である。
【図８】図５のファクシミリゲートウェイにおける通信制御手順を示したフローチャート図である。
【図９】図５のファクシミリゲートウェイにおける通信制御手順を示したフローチャート図である。
【図１０】図５のファクシミリゲートウェイにおける通信制御手順を示したフローチャート図である。
【図１１】図４のファクシミリ装置における異なる通信制御手順を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２０ａ  重要通信ボタン
２２  ＣＰＵ
２４  ＲＯＭ
２６  バス
１１２ａ  インターネットファクシミリ装置（ＩＡＦ）
２０２  ＮＣＵ
２０６  ハイブリッド回路
２０８   変復調器
２１０  発呼回路
２１２  加算回路
２１４  回線インターフェース（２）
２１６  回線インターフェース（３）
２１８  メモリ
２２０  ネットワークカード
２２２  ＣＰＵ
２２４  ＲＯＭ
２３０  回線インターフェース（１）
【図１】
0003922347.tif 000002
【図２】
0003922347.tif 000003
【図３】
0003922347.tif 000004
【図４】
0003922347.tif 000005
【図５】
0003922347.tif 000006
【図６】
0003922347.tif 000007
【図７】
0003922347.tif 000008
【図８】
0003922347.tif 000009
【図９】
0003922347.tif 000010
【図１０】
0003922347.tif 000011
【図１１】
0003922347.tif 000012